(57)【要約】【課題】内部に埃が入り難くすることができると共に、取っ手に指を掛け易い包装箱を提供する。【解決手段】包装箱１は、筒状の胴部２の開口端縁２ａ，２ｂに設けられた内フラップ３，１９、及び外フラップ４，２０と、外フラップ４，２０に設けられ、先端を遥動して内側に折り込まれた外側中折部９と、内フラップ３，１９であって、外側中折部９に対応する部分に位置させて、先端を遥動して内側に折り込まれた内側中折部８とを備える。外側中折部９と内側中折部８とは、外側中折部９と内側中折部８とを夫々内側に折り込む前の状態において、外側中折部９の基端から先端に向かう先端方向と内側中折部の先端から基端に向かう基端方向とが平行な方向となるように、配置されており、内側に折り込まれた外側中折部９の一部が内側中折部８の表面８ｃに接触している。【選択図】図１
2019112133.tif 000002
【特許請求の範囲】
【請求項１】
筒状の胴部と、
前記胴部の開口端縁に前記胴部内側に折り曲げられて設けられた内フラップと、
前記胴部の開口端縁であって前記胴部内側に折り曲げられて前記内フラップの上に重なるように設けられた外フラップと、
前記外フラップに設けられた切込部によって該切込部の内側に形成され、先端を遥動して内側に折り込まれた外側中折部と、
前記内フラップであって、前記外側中折部に対応する部分に位置させて、先端を遥動して内側に折り込まれた内側中折部と、
を備え、
前記外側中折部と前記内側中折部とは、前記外側中折部と前記内側中折部とを夫々内側に折り込む前の状態において、前記外側中折部の基端から先端に向かう先端方向と前記内側中折部の先端から基端に向かう基端方向とが平行な方向となるように、配置されており、
内側に折り込まれた前記外側中折部の一部が前記内側中折部の表面に接触していることを特徴とする包装箱。
【請求項２】
請求項１記載の包装箱であって、
前記外側中折部は、前記外側中折部の基端縁と平行な折目線を介して連設された複数の分割片で構成されることを特徴とする包装箱。
【請求項３】
請求項１又は請求項２に記載の包装箱であって、
前記外フラップに設けられた前記切込部はＵ字状であることを特徴とする包装箱。
【請求項４】
請求項１から請求項３の何れか１項に記載の包装箱であって、
前記包装箱は、注出口を備えた内袋を収容し、天面と底面とを備えるバッグインボックスタイプの包装箱であり、
前記内フラップと前記外フラップとで前記天面を構成し、
前記天面には、前記注出口を突出させるための注出口対応部が設けられ、
前記包装箱を傾けて注出口から内袋の内容物が注出される側を前方として、
前記注出口対応部に対して、前記前方とは反対の後方に前記外側中折部と前記内側中折部とが配置されており、
前記内側中折部の基端は先端よりも前記前方に位置することを特徴とする包装箱。
【請求項５】
請求項１から請求項４の何れか１項に記載の包装箱であって、
前記包装箱は、注出口を備えた内袋を収容し、天面と底面とを備えるバッグインボックスタイプの包装箱であり、
前記内フラップと前記外フラップとで前記底面を構成し、
前記天面には、前記注出口を突出させるための注出口対応部が設けられ、
前記包装箱を傾けて注出口から内袋の内容物が注出される側を前方とし、前記前方とは反対の方向を後方として、
前記底面には、複数の前記外側中折部及び前記内側中折部が設けられ、
前記内側中折部の先端は、前記後方側に位置し、前記内側中折部の基端は前記前方側に位置することを特徴とする包装箱。
【請求項６】
請求項１から請求項５の何れか１項に記載の包装箱であって、
前記外側中折部は、接続部を備えた前記切込部によって、前記外フラップに形成されていることを特徴とする包装箱。
【請求項７】
筒状の胴部と、
前記胴部の開口端縁に前記胴部内側に折り曲げられて設けられた内フラップと、
前記胴部の開口端縁であって前記胴部内側に折り曲げられて前記内フラップの上に重なるように設けられた外フラップと、
前記外フラップに設けられた切込部によって該切込部の内側に形成され、先端を遥動して内側に折り込まれた外側中折部と、
を備え、
前記外側中折部は、前記外側中折部の基端縁と平行な折目線を介して連設された複数の分割片で構成されており、
内側に折り込まれた前記外側中折部の一部が前記内フラップの表面に接触していることを特徴とする包装箱。
【発明の詳細な説明】
【技術分野】
【０００１】
本発明は、包装箱に関する。
【背景技術】
【０００２】
従来、天面と底面とが夫々一対の内フラップの外面に一対の外フラップを重ね合わせて貼り合わせて閉塞される包装箱が知られている（例えば、特許文献１参照）。
【０００３】
この包装箱は、外フラップに指を引っ掛けるための開口が設けられ、この開口を内フラップで閉塞している。これにより、外フラップに設けられた開口の段差部に指を引っ掛けて包装箱を持つことができると共に、包装箱内への埃の侵入を内フラップで防ぐことができる。
【先行技術文献】
【特許文献】
【０００４】
【特許文献１】特許第５６０８４３８号公報
【発明の概要】
【発明が解決しようとする課題】
【０００５】
従来の包装箱の取っ手では、外フラップの開口によって形成される段差部に指を引っ掛けるだけであるため、指が引っ掛かる部分が小さく持ち難いという問題があった。
【０００６】
本発明は、以上の点に鑑み、内部に埃が入り難くすることができると共に、取っ手に指を掛け易い包装箱を提供することを目的とする。
【課題を解決するための手段】
【０００７】
［１］上記目的を達成するため、本発明の包装箱は、
筒状の胴部（例えば、実施形態の胴部２。以下同一。）と、
前記胴部の開口端縁（例えば、実施形態の開口端縁２ａ，２ｂ。以下同一。）に前記胴部内側に折り曲げられて設けられた内フラップ（例えば、実施形態の天面内フラップ３、底面内フラップ１９。以下同一。）と、
前記胴部の開口端縁であって前記胴部内側に折り曲げられて前記内フラップの上に重なるように設けられた外フラップ（例えば、実施形態の天面外フラップ４、底面外フラップ２０。以下同一。）と、
前記外フラップに設けられた切込部（例えば、実施形態の切込部１６。以下同一。）によって該切込部の内側に形成され、先端を遥動して内側に折り込まれた外側中折部（例えば、実施形態の外側中折部９。以下同一。）と、
前記内フラップであって、前記外側中折部に対応する部分に位置させて、先端を遥動して内側に折り込まれた内側中折部（例えば、実施形態の内側中折部８。以下同一。）と、
を備え、
前記外側中折部と前記内側中折部とは、前記外側中折部と前記内側中折部とを夫々内側に折り込む前の状態において、前記外側中折部の基端から先端に向かう先端方向と前記内側中折部の先端から基端に向かう基端方向とが平行な方向となるように、配置されており、
内側に折り込まれた前記外側中折部の一部が前記内側中折部の表面（例えば、実施形態の表面８ｃ。以下同一。）に接触していることを特徴とする。
【０００８】
かかる構成によれば、外側中折部と内側中折部とで包装箱内への埃の侵入を抑えることができる。また、外側中折部が内側へ折り曲げられることにより形成される外フラップの開口に指を差し入れると、外側中折部と接触していた内側中折部を更に内側へ押し込むように開口を広げながら、使用者は、外側中折部に沿ってしっかりと包装箱をつかむことができる。これにより、包装箱内に比較的重いものが収納されている場合であっても、使用者は、外側中折部によって形成される取手部をしっかりと握ることができる。
【０００９】
［２］また、本発明においては、前記外側中折部は、前記外側中折部の基端縁と平行な折目線を介して連設された複数の分割片（例えば、実施形態の第１分割片６、第２分割片７。以下同一。）で構成されることが好ましい。
【００１０】
かかる構成によれば、内側へ折り曲げられた分割片同士が復元力によって互いに離れようとする力が分割片の間に発生する。このため、同じく復元力によって内フラップの開口を閉塞しようとする内側中折部を分割片同士の復元力によって押し戻そうとして、外側中折部と内側中折部とが適切に係合して閉塞状態を維持することができる。
【００１１】
また、複数の分割片が内側へ折れ曲がるため、外側中折部を把持した使用者は、外側中折部の先端を介して包装箱の荷重が手の平に加わることがなく、容易に外側中折部に手を掛けることができる。
【００１２】
また、外側中折部及び内側中折部によって外フラップ及び内フラップに形成される開口は、埃侵入防止の観点から考えれば、小さいほうが好ましいが、取っ手として使用者の手の平が挿入されることを考慮するとある程度の大きさが望まれる。そして、内側中折部ができるだけ開かないようにするためには、外側中折部における基端から内側中折部に最初に接触する部分までの距離ができるだけ短いことが好ましい。
【００１３】
しかしながら、外側中折部の先端が内側中折部の表面に当接するように構成した場合、外フラップの開口を大きくし、外側中折部の長さを短くすると、切込部と外側中折部の先端との間の部分を切り落とす必要があり、製造過程でゴミが比較的多く発生してしまう。
【００１４】
これに対し、上述した本発明の如く複数の分割片で外側中折部を構成すれば、外側中折部の先端で内側中折部の表面に係合させる必要がなく、製造過程におけるゴミの発生を低減することができる。
【００１５】
［３］また、本発明においては、前記外フラップに設けられた前記切込部はＵ字状とすることができる。
【００１６】
［４］また、本発明においては、
前記包装箱は、注出口を備えた内袋を収容し、天面と底面とを備えるバッグインボックスタイプの包装箱であり、
前記内フラップと前記外フラップとで前記天面を構成し、
前記天面には、前記注出口を突出させるための注出口対応部（例えば、実施形態の注出口用破断部５。以下同一。）が設けられ、
前記包装箱を傾けて注出口から内袋の内容物が注出される側を前方として、
前記注出口対応部に対して、前記前方とは反対の後方に前記外側中折部と前記内側中折部とが配置されており、
前記内側中折部の基端は先端よりも前記前方に位置することが好ましい。
【００１７】
かかる構成によれば、包装箱から突出する注出口の後方に位置する外側中折部に手を掛けて、容易に包装箱を傾けて内袋の注出口から内容物を注出させることができる。
【００１８】
［５］また、本発明においては、
前記包装箱は、注出口を備えた内袋を収容し、天面と底面とを備えるバッグインボックスタイプの包装箱であり、
前記内フラップと前記外フラップとで前記底面を構成し、
前記天面には、前記注出口を突出させるための注出口対応部が設けられ、
前記包装箱を傾けて注出口から内袋の内容物が注出される側を前方とし、前記前方とは反対の方向を後方として、
前記底面には、複数の前記外側中折部及び前記内側中折部が設けられ、
前記内側中折部の先端は、前記後方側に位置し、前記内側中折部の基端は前記前方側に位置することが好ましい。
【００１９】
かかる構成によれば、包装箱を傾けて内袋から内容物を抽出させるときに、内袋の内容物の残量に応じて底面の取手部の位置を選択することができる。特に、左右方向ではなく前後方向に間隔を存して複数の前記外側中折部及び前記内側中折部を設ける場合には、内容物の残量に応じて適切に抽出させることができる。
【００２０】
［６］また、本発明においては、前記外側中折部は、接続部（例えば、実施形態の接続部１６ａ。以下同一。）を備えた前記切込部によって、前記外フラップに形成されていることが好ましい。
【００２１】
かかる構成によれば、外側中折部を内側へ折り曲げて取っ手とする前の状態においては、外側中折部とが外フラップと面一となって開口が存在しないため、取っ手を形成する前の状態における包装箱内への埃やゴミなどの侵入を防止することができる。
【００２２】
［７］また、本発明の包装箱は、
筒状の胴部と、
前記胴部の開口端縁に前記胴部内側に折り曲げられて設けられた内フラップと、
前記胴部の開口端縁であって前記胴部内側に折り曲げられて前記内フラップの上に重なるように設けられた外フラップと、
前記外フラップに設けられた切込部によって該切込部の内側に形成され、先端を遥動して内側に折り込まれた外側中折部と、
を備え、
前記外側中折部は、前記外側中折部の基端縁と平行な折目線を介して連設された複数の分割片で構成されており、
内側に折り込まれた前記外側中折部の一部が前記内フラップの表面に接触していることを特徴とする。
【００２３】
かかる構成によれば、外側中折部と内フラップとで包装箱内への埃の侵入を抑えることができる。また、外側中折部が内側へ折り曲げられることにより形成される外フラップの開口に指を差し入れると、外側中折部と接触していた内フラップを更に内側へ押し込むように開口を広げながら、使用者は、外側中折部に沿ってしっかりと包装箱をつかむことができる。これにより、包装箱内に比較的重いものが収納されている場合であっても、使用者は、外側中折部によって形成される取手部をしっかりと握ることができる。
【００２４】
また、内側へ折り曲げられた分割片同士が復元力によって互いに離れようとする力が分割片の間に発生する。このため、同じく復元力によって開口を閉塞しようとする内フラップを分割片同士の復元力によって押し戻そうとして、外側中折部と内フラップとが適切に係合して閉塞状態を維持することができる。
【００２５】
また、複数の分割片が内側へ折れ曲がるため、外側中折部を把持した使用者は、外側中折部の先端を介して包装箱の荷重が手の平に加わることがなく、容易に外側中折部に手を掛けることができる。
【００２６】
また、外側中折部及び内フラップによって外フラップに形成される開口は、埃侵入防止の観点から考えれば、小さいほうが好ましいが、取っ手として使用者の手の平が挿入されることを考慮するとある程度の大きさが望まれる。そして、内フラップができるだけ開かないようにするためには、外側中折部における基端から内フラップに最初に接触する部分までの距離ができるだけ短いことが好ましい。
【００２７】
しかしながら、外側中折部の先端が内フラップの表面に当接するように構成した場合、外フラップの開口を大きくし、外側中折部の長さを短くすると、切込部と外側中折部の先端との間の部分を切り落とす必要があり、製造過程でゴミが比較的多く発生してしまう。
【００２８】
これに対し、上述した本発明の如く複数の分割片で外側中折部を構成すれば、外側中折部の先端で内側中折部の表面に係合させる必要がなく、製造過程におけるゴミの発生を低減することができる。
【図面の簡単な説明】
【００２９】
【図１】本発明の包装箱を示す説明図。
【図２】本実施形態の外側中折部及び内側中折部を断面で示す説明図。
【図３】本実施形態の包装箱を展開して示す説明図。
【発明を実施するための形態】
【００３０】
図を参照して、本発明の包装箱の実施形態を説明する。本実施形態の包装箱は、注出口を備えた内袋を収容するバッグインボックスタイプの包装箱である。図１に示すように、本実施形態の包装箱１は、天面側の開口端縁２ａと底面側の開口端縁２ｂとを有する四角筒状の胴部２を備える。
【００３１】
天面側の開口端縁２ａには、互いに対向する一対の辺（図３の折目線Ｌ７参照）に設けられた一対の天面内フラップ３，３と、天面側の開口端縁２ａであって、天面内フラップ３が設けられた辺（図３の折目線Ｌ７参照）に隣接して互いに対向する一対の辺（図３の折目線Ｌ８参照）に設けられた一対の天面外フラップ４，４と、一方の天面外フラップ４に設けられ収容された内袋の注出口を突出させるための注出口用破断部５と、を備える。
【００３２】
図２に示すように、他方の天面外フラップ４は、Ｕ字状（Ｃ字型を含む）に切り込まれて形成され、切り込まれた内側を、折目線Ｌ１を介して内側に遥動させて折り込むことで形成される第１分割片６と、第１分割片６の先端６ａに折目線Ｌ２を介して連設され、更に内側に折り込むことで形成される第２分割片７と、を備える。折目線Ｌ２は、外側中折部９の基端縁としての折目線Ｌ１に対して平行となっている。ここで、折目線Ｌ１と折目線Ｌ２とは、厳密な意味での平行のみならず、ほぼ平行といえる程度の平行であってもよい。
【００３３】
天面内フラップ３は、第１分割片６及び第２分割片７に対応する部分（重なる領域）に位置させてＵ字状（Ｃ字型を含む）に切り込まれて形成され、切り込まれた内側を、内側に遥動させて折り込むことで形成される内側中折部８を備える。内側中折部８が内側へ折り曲げられることにより、第１分割片６及び第２分割片７を内側へ折り込むことが可能となる。本実施形態においては、第１分割片６及び第２分割片７で外側中折部９が構成される。
【００３４】
第１分割片６の基端６ｂは、先端６ａに対し、内側中折部８の遥動する自由端である先端８ａと同じ側の後方に位置している。第１分割片６の遥動する自由端としての先端６ａは、基端６ｂに対し、内側中折部８の基端８ｂと同じ側の前方に位置している。内側中折部８の先端８ａは基端８ｂに対して後方に位置している。
【００３５】
内側に折り込まれた第２分割片７の表面７ｃは、内側中折部８の表面８ｃと接触している。ここで、表面７ｃ、８ｃとは、包装箱１の外面に連なる面であり、包装箱１の内面とは異なる面である。
【００３６】
図３は、本実施形態の包装箱１の展開した状態を示している。図３に示すように、本実施形態の包装箱１は、１枚の段ボール原紙から打ち抜いた１枚の段ボール板紙１０を折り曲げて組み立てられるものである。
【００３７】
この段ボール板紙１０は、胴部２を構成する長方形状の右側板１１と、右側板１１の側縁に折目線Ｌ３を介して連設される長方形状の前板１２と、前板１２の側縁に折目線Ｌ４を介して連設される長方形状の左側板１３と、左側板１３の側縁に折目線Ｌ５を介して連設される長方形状の後板１４と、後板１４の側縁に折目線Ｌ６を介して連設され、右側板１１に接着するための接着片１５と、を備える。
【００３８】
右側板１１及び左側板１３の上縁には、折目線Ｌ７，Ｌ７を介して天面内フラップ３，３が夫々連設されている。前板１２及び後板１４の上縁には、折目線Ｌ８を介して天面外フラップ４，４が夫々連設されている。前板１２の上縁に連設される天面外フラップ４には、収容される内袋の注出口を突出させるために破断可能な注出口用破断部５が設けられている。
【００３９】
後板１４の上縁に連設される天面外フラップ４には、図３における下方に折目線Ｌ１が位置するようにＵ字状（Ｃ字型を含む）に切り込まれた切込部１６によって、第１分割片６及び第２分割片７からなる外側中折部９が形成されている。なお、切込部１６は、完全に切断されておらず、部分的に接続された接続部１６ａを有する。
【００４０】
この接続部１６ａにより、第１分割片６及び第２分割片７を取手として利用する前の状態においては、第１分割片６及び第２分割片７が内側に折り込まれておらず、天面外フラップ４に開口が形成されていないため、取手を利用する前の状態における包装箱１内への埃やゴミなどの侵入を防ぐことができる。
【００４１】
天面内フラップ３には、包装箱１が組み立てられたときに、天面外フラップ４の第１分割片６及び第２分割片７に対応する部分（重なる領域）に位置するように、Ｊ字状の切込部１７が設けられている。切込部１７は、天面内フラップ３の先端まで延びており、切込部１７と天面内フラップ３の先端縁とで、折目線Ｌ９を介して内側へ遥動して折り曲げ可能な内側中折部８の半体８ｅを構成している。包装箱１が組み立てられると２つの半体８ｅ，８ｅで１つの内側中折部８として機能する。
【００４２】
また、天面内フラップ３には、天面外フラップ４に設けられた注出口用破断部５（注出口用対応部）から内袋の注出口を突出させる際に、天面内フラップ３が邪魔とならないように切り欠かれた切欠部１８が設けられている。この切欠部１８によって、天面内フラップ３はＬ字状となっている。また、両天面内フラップ３は、図３の展開図において左右対称形状となっている。
【００４３】
右側板１１及び左側板１３の下縁には、折目線Ｌ１０，Ｌ１０を介して底面内フラップ１９，１９が夫々連設されている。前板１２及び後板１４の下縁には、折目線Ｌ１１，Ｌ１１を介して底面外フラップ２０，２０が夫々連設されている。
【００４４】
前板１２の下縁に連設される底面外フラップ２０には、図３における下方に折目線Ｌ１２が位置するようにＵ字状（Ｃ字型を含む）に切り込まれた切込部１６によって、第１分割片６及び第２分割片７が形成されている。この第２分割片７は、第１分割片６の先端６ａに折目線Ｌ１３を介して遥動自在に連設されている。また、天面と同様に底面の切込部１６も完全に切断されておらず、部分的に接続された接続部１６ａを有する。
【００４５】
後板１４の下縁に連設される底面外フラップ２０には、図３における上方に折目線Ｌ１４が位置するようにＵ字状（Ｃ字型を含む）に切り込まれた切込部１６によって、第１分割片６及び第２分割片７が形成されている。この第２分割片７は、第１分割片６の先端６ａに折目線Ｌ１５を介して遥動自在に連設されている。また、この底面外フラップ２０に設けられた切込部１６も完全に切断されておらず、部分的に接続された接続部１６ａを有する。
【００４６】
底面を構成する底面外フラップ２０の接続部１６ａによれば、第１分割片６及び第２分割片７を取手として利用する前の状態においては、第１分割片６及び第２分割片７が内側に折り込まれておらず、天面外フラップ４に開口が形成されていないため、取手を利用する前の状態における包装箱１内への埃やゴミなどの侵入を防ぐことができる。
【００４７】
底面内フラップ１９には、包装箱１が組み立てられたときに、天面外フラップ４の第１分割片６及び第２分割片７に対応する部分（重なる領域）に位置するように、Ｊ字状の切込部１７と天面内フラップ３の先端縁とで、折目線Ｌ１６を介して内側へ遥動して折曲可能な内側中折部８の半体８ｅを構成している。包装箱１が組み立てられると２つの半体８ｅ，８ｅで１つの内側中折部８として機能する。
【００４８】
以上のように構成される段ボール板紙１０を組み立てるには、まず、折目線Ｌ３〜Ｌ６で折り曲げて、右側板１１、前板１２、左側板１３、後板１４とで四角筒状の胴部２を形成し、接着片１５を右側板１１に接着する。次に、底面内フラップ１９を折目線Ｌ１０を介して内側へ直角に折り曲げる。そして、底面外フラップ２０を折目線Ｌ１１を介して内側へ直角に折り曲げ、底面内フラップ１９と底面外フラップ２０とを接着して胴部２の底面を閉塞する。このとき、第１分割片６及び第２分割片７が内側中折部８と接着されないように注意する。
【００４９】
次に、胴部２に内袋を収容する。そして、天面内フラップ３を折目線Ｌ７を介して内側へ直角に折り曲げ、その後、天面外フラップ４を折目線Ｌ８を介して内側へ直角に折り曲げて、天面内フラップ３及び天面外フラップ４とを接着させる。このとき、第１分割片６及び第２分割片７が内側中折部８と接着されないように注意する。また、必要に応じて、前板１２の上縁に連設される天面外フラップ４に設けられた注出口用破断部５を破断して、図示省略した内袋の注出口が包装箱１の外方へ露出させる。
【００５０】
このようにして、本実施形態の包装箱１が組み立てられる。
【００５１】
本実施形態の包装箱１を使用する際には、包装箱１を傾けて注出口から内袋の内容物を注出させる。包装箱を傾けたときに注出口から内袋の内容物が注出される側を前方、前方の反対側を後方として、外側中折部９及び内側中折部８は、注出口用破断部５の後方に配置されている。
【００５２】
本実施形態の包装箱１によれば、図２に示すように、外側中折部９と内側中折部８とが互いに支えあって、外側中折部９を構成する第１分割片６及び第２分割片７を内側に折り曲げることで形成される開口を閉じて、天面外フラップ４及び底面外フラップ２０の開口領域を小さくすることができる。このため、包装箱１内への埃やゴミなどの侵入を抑えることができる。
【００５３】
また、第１分割片６及び第２分割片７が内側へ折り曲げられることにより形成される天面外フラップ４及び底面外フラップ２０の開口に指を差し入れると、第２分割片７の表面７ｃと接触していた内側中折部８を更に内側へ押し込むように天面外フラップ４の開口を広げながら、使用者は、第１分割片６及び第２分割片７に沿ってしっかりと包装箱１をつかむことができる。
【００５４】
これにより、包装箱１内に比較的重いものが収容されている場合であっても、使用者は、第１分割片６及び第２分割片７からなる外側中折部９で構成される取手をしっかりと握ることができ、比較的容易に内容物を注出口から出すことができる。また、握る部分が増えるために、手の平にかかる荷重が分散し、使用者の負担を軽減させることができる。
【００５５】
さらに、使用者が指を挿入するときに、使用者は内側中折部８のみを内側へ押し込むだけで外側中折部９を把持することができるため、内側中折部８と共に外側中折部９をも内側へ押し込まなければ指を挿入できないものと比較して、指の挿入が容易となる。
【００５６】
また、本実施形態の包装箱１では、外側中折部９は、第１分割片６及び第２分割片７で構成され、底面に前後方向に間隔を存して２つの外側中折部９が形成されている。これにより、包装箱１を傾けて内袋から内容物を注出させるときに、内袋の内容物の残量に応じて使用する底面の外側中折部９の位置を選択することができ、内容物の残量に応じて適切に内容物を注出させることができる。
【００５７】
なお、本実施形態においては四角筒状の胴部２を説明したが、本発明の胴部は筒状であればよく、他の形状、例えば六角筒状であってもよい。
【００５８】
また、本実施形態においては、包装箱１の天面と底面とが何れも内フラップと外フラップとで閉塞されたものを説明したが、本発明の包装箱は天面と底面との少なくとも何れか一方が内フラップと外フラップとで閉塞されていればよく、例えば、天面と底面の何れか一方のみが内フラップと外フラップとで閉塞され、他方は他の閉塞構造であってもよい。他の閉塞構造としては、例えば、フラップの側縁一方を隣接するフラップの側縁他方の内側に差し込むようにして４つのフラップが互いに支え合うようにして閉塞する構造がある。
【００５９】
また、本実施形態としては、図１及び図３においてＣ字型の切込部１６を説明したが、本発明の切込部は、Ｕ字状（Ｕ字型、Ｃ字型、Ｖ字型、Ｊ字型、コ字型を含む）であればよく、例えば、切込部の形状はＵ字型、Ｖ字型、Ｊ字型、コ字型であってもよい。本発明においてＵ字状とは、一部が折目線Ｌ１を介して外フラップと接続するように切り欠かれているものを指し、外側中折部を形成することができればその形状に限定はないが、例えば、Ｕ字型、Ｃ字型、Ｖ字型、Ｊ字型、コ字型などの形状を含む概念として用いている。
【００６０】
また、本実施形態においては、折目線Ｌ１を、その両端が切込部１６の両端に接続されるものを説明したが、折目線Ｌ１はこれに限らず、例えば、折目線Ｌ１の一端を切込部１６の一端と接続し、折目線Ｌ１の他端を切込部１６の中間地点と接続してもよい。又は、折目線Ｌ１の両端を切込部１６の２つの中間地点に夫々接続させてもよい。
【００６１】
また、本実施形態においては、図１及び図３においてＪ字型の切込部１７を説明したが、切込部１７の形状はＪ字型に限らず、例えば、Ｌ字型、コ字型、Ｈ字型であってもよい。
【００６２】
この切込部１７は、天面内フラップ３又は底面内フラップ１９の先端又は左端又は右端まで伸びていてもよく、折目線Ｌ９又は折目線Ｌ１６を介して内側へ遥動させて内側中折部８が折り曲げ可能であればよい。このとき、折目線Ｌ９、折目線Ｌ１６の一端は、切込部１７の一端または切込部１７の中間地点のいずれかに位置させてもよい。
【００６３】
また、本実施形態の包装箱１では、天面および底面の何れにも外側中折部９及び内側中折部８を設けたものを説明したが、外側中折部９及び内側中折部８は、天面と底面の少なくとも一方に設けられていればよく、また、底面の取手部は１つであってもよい。
【００６４】
また、本実施形態においては、外側中折部９が第１分割片６と第２分割片７の２つの分割片で構成されるものを説明したが、本発明の外側中折部はこれに限らず、例えば、分割片を設けず１枚フラップの外側中折部としてもよいし、３つ以上の分割片を備える外側中折部としてもよい。
【００６５】
また、本実施形態においては、底面に前後方向に間隔を存して２つの外側中折部９が形成したものを説明したが、底面の外側中折部は前後方向に間隔を存するものに限らず、例えば、左右方向に間隔を存していてもよい。これによっても、包装箱を傾けて内袋から内容物を注出させるときに、使用者は持ち易い方の底面の外側中折部の位置を選択することができるという作用効果を奏する。
【符号の説明】
【００６６】
１  包装箱
２  胴部
２ａ  天面側の開口端縁
２ｂ  底面側の開口端縁
３  天面内フラップ
４  天面外フラップ
５  注出口用破断部
６  第１分割片
６ａ  先端
６ｂ  基端
７  第２分割片
７ｃ  表面（外面）
７ｄ  裏面（内面）
８  内側中折部
８ａ  先端
８ｂ  基端
８ｃ  表面（外面）
８ｄ  裏面（内面）
８ｅ  半体
９  外側中折部
１０  段ボール板紙
１１  右側板
１２  前板
１３  左側板
１４  後板
１５  接着片
１６  切込部
１６ａ  接続部
１７  切込部
１８  切欠部
１９  底面内フラップ
２０  底面外フラップ
Ｌ１〜Ｌ１６  折目線
【図１】
2019112133.tif 000003
【図２】
2019112133.tif 000004
【図３】
2019112133.tif 000005